(57)【要約】【課題】携帯端末に記憶されている画像データとスキャナーによるスキャン画像データとを単一のデータとして取り扱うことを可能にする携帯端末を提供する。【解決手段】画像データを記憶する端末記憶部２９と、原稿画像を読み取ってスキャン画像データを生成するスキャナー３とのデータ通信を可能とする通信部３５と、スキャナーに対する原稿画像の読み取りを指示する読取指示部３７と、端末記憶部２９内の画像データから対象画像データの選択を受け付ける対象選択受付部４１と、スキャナー３での原稿画像の読み取りによって生成されたスキャン画像データをスキャナー３から取得するスキャン画像データ取得部４５と、スキャン画像データを対象画像データと結合して複数ページの単一の結合画像データを生成する結合画像データ生成部４７とを備える。【選択図】図１
2016127311.tif 000002
【特許請求の範囲】
【請求項１】
画像データを記憶する記憶部と、
原稿画像を読み取ってスキャン画像データを生成するスキャナーとのデータ通信を可能とする通信部と、
前記スキャナーに対する原稿画像の読み取りを指示する読取指示部と、
前記記憶部内の画像データから対象画像データの選択を受け付ける対象選択受付部と、
前記読み取りによって前記スキャナーで生成されたスキャン画像データを前記スキャナーから取得するスキャン画像データ取得部と、
前記スキャン画像データを前記対象画像データと結合して複数ページの単一の結合画像データを生成し前記結合画像データを前記スキャン画像データに代えて取得する結合画像データ生成部と、
を備えることを特徴とする携帯端末。
【請求項２】
請求項１記載の携帯端末であって、
前記スキャン画像データに基づく画像に対する前記選択された対象画像データに基づく画像の挿入位置の指定を受け付ける位置指定受付部を備える、
ことを特徴とする携帯端末。
【請求項３】
請求項２記載の携帯端末であって、
前記位置指定受付部は、挿入位置一覧からの選択によって前記挿入位置の指定を受け付け、既に挿入位置が指定された対象画像データの識別情報を前記挿入位置一覧に追加する、
ことを特徴とする携帯端末。
【請求項４】
請求項２又は３記載の携帯端末であって、
前記対象選択受付部は、前記記憶部内の画像データに基づく画像一覧上に、前記既に挿入位置が指定されている対象画像データの識別情報を表示する、
ことを特徴とする携帯端末。
【請求項５】
請求項１〜４の何れか一項に記載の携帯端末であって、
前記結合画像データを指定された宛先に送信するデータ送信部を備える、
ことを特徴とする携帯端末。
【請求項６】
請求項１〜５の何れか一項に記載の携帯端末であって、
各ページに前記原稿画像の複数ページを集約したスキャン画像データのレイアウトを解析するレイアウト解析部を備え、
前記結合画像データ生成部は、解析されたレイアウトに基づいて前記結合画像データを生成する、
ことを特徴とする携帯端末。
【請求項７】
画像データを記憶する携帯端末の画像結合プログラムであって、
前原稿画像を読み取ってスキャン画像データを生成するスキャナーとのデータ通信を可能とする通信機能と、
前記スキャナーに対する原稿画像の読み取りを指示する読取指示機能と、
前記記憶部内の画像データから対象画像データの選択を受け付ける対象選択受付機能と、
前記読み取りによって前記スキャナーで生成されたスキャン画像データを前記スキャナーから取得するスキャン画像データ取得機能と、
前記スキャン画像データを前記対象画像データと結合して複数ページの単一の結合画像データを生成し前記結合画像データを前記スキャン画像データに代えて取得する結合画像データ生成機能と、
を携帯端末のコンピューターに実現させることを特徴とする画像結合プログラム。
【発明の詳細な説明】
【技術分野】
【０００１】
本発明は、スキャナーによって読み取った原稿画像のスキャン画像データを、他の端末への送信等によって利用する携帯端末及び画像結合プログラムに関する。
【背景技術】
【０００２】
スキャナーで読み取った原稿画像のスキャン画像データを利用においては、携帯電話機等の携帯端末を経由してスキャン画像データを他の端末に送信することがある。
【０００３】
例えば、特許文献１では、スキャナーを有するデジタル複写機からスキャン画像データを近距離通信によって携帯端末に送信し、受信したスキャン画像データを携帯端末から電子メールによって他の端末に送信する。
【０００４】
ここで、近年の携帯電話機等の携帯端末は、カメラ機能の普及によって撮像した画像データを記憶していることが多い。
【０００５】
このため、ユーザーは、携帯端末に記憶している画像データをスキャン画像データと共に他の端末に送信することを望む場合もある。
【０００６】
しかし、特許文献１の技術では、携帯端末に記憶されている画像データとスキャン画像データとを、別々のデータとして他の端末に送信することしかできないという問題がある。
【０００７】
従って、特許文献１の技術は、両画像データを別々に取り扱う必要があった。
【先行技術文献】
【特許文献】
【０００８】
【特許文献１】特開２００２−２７１５５８号公報
【発明の概要】
【発明が解決しようとする課題】
【０００９】
本発明が解決しようとする問題点は、携帯端末に記憶されている画像データとスキャナーによるスキャン画像データとを別データとして取り扱う必要があった点である。
【課題を解決するための手段】
【００１０】
本発明は、画像データを記憶する記憶部と、原稿画像を読み取ってスキャン画像データを生成するスキャナーとのデータ通信を可能とする通信部と、前記スキャナーに対する原稿画像の読み取りを指示する読取指示部と、前記記憶部内の画像データから対象画像データの選択を受け付ける対象選択受付部と、前記読み取りによって前記スキャナーで生成されたスキャン画像データを前記スキャナーから取得するスキャン画像データ取得部と、前記スキャン画像データを前記対象画像データと結合して複数ページの単一の結合画像データを生成し前記結合画像データを前記スキャン画像データに代えて取得する結合画像データ生成部とを備える携帯端末を最も主な特徴とする。
【発明の効果】
【００１１】
本発明によれば、携帯端末に記憶している画像データとスキャナーによるスキャン画像データとを、単一の結合画像データとして結合し、結合画像データをスキャン画像データに代えて取得することができる。従って、対象画像データとスキャン画像データとを、結合画像データの生成時からその後の利用に至るまで、単一のデータとして取り扱うことが可能となる。
【図面の簡単な説明】
【００１２】
【図１】本発明の実施例１に係る携帯端末を利用した画像結合システムを示すブロック図である。
【図２】携帯端末内の画像データに基づく挿入候補画像のサムネイル表示の一例である。
【図３】結合画像データの一例を示す概念図である。
【図４】図１の画像結合システムによる画像結合処理の流れを示すフローチャートである。
【図５】本発明の実施例２に係る携帯端末を利用した画像結合システムを示すブロック図である。
【図６】スキャン画像データの挿入位置一覧としてのドロップダウンリストの一例である。
【図７】挿入指定画像ＩＤが示された挿入候補画像のサムネイル表示の一例である。
【図８】挿入指定画像ＩＤが追加されたドロップダウンリストの一例である。
【図９】挿入位置指定処理の流れを示すフローチャートである。
【図１０】本発明の実施例３に係る携帯端末を利用した画像結合システムを示すブロック図である。
【図１１】スキャン画像データのドキュメント画像及び携帯端末内の画像データの挿入候補画像のサムネイル表示の一例である。
【図１２】更新後のドキュメント画像のサムネイル表示の一例である。
【図１３】挿入位置指定処理の流れを示すフローチャートである。
【発明を実施するための形態】
【００１３】
携帯端末に記憶されている画像データとスキャナーによるスキャン画像データとを単一のデータとして取り扱うことを可能にするという目的を、携帯端末において、スキャナーから受信したスキャン画像データに記憶している画像データを結合して複数ページの単一の結合画像データを生成し、生成した結合画像データをスキャン画像データに代えて取得することにより実現した。
【実施例１】
【００１４】
［画像結合システム］
図１は、本発明の実施例１に係る携帯端末を利用した画像結合システムを示すブロック図である。
【００１５】
画像結合システム１は、相互にデータ通信可能なスキャナー３と携帯端末５とを備える。
【００１６】
スキャナー３は、スキャナー装置であり、専用機だけでなく、プリンターやデジタル複合機等の画像形成装置に設けられたものであってもよい。実施例１のスキャナー３は、スキャナー本体部７、ネットワークインターフェイス９、近距離無線インターフェイス１１、スキャナー記憶部１３、スキャナー制御部１５等を備える。
【００１７】
スキャナー本体部７は、原稿画像を読み取って電気信号に変換する機構部である。
【００１８】
ネットワークインターフェイス９は、有線又は無線によってインターネット等のネットワークにスキャナー３を接続し、携帯端末５との間でデータ通信を可能とするモジュールである。
【００１９】
近距離無線インターフェイス１１は、近距離無線によってスキャナー３を携帯端末５に接続し、携帯端末５との間でデータ通信を可能とするモジュールである。
【００２０】
スキャナー記憶部１３は、各種プログラムや処理に必要なデータを記憶するＲＯＭ（Read Only Memory）、作業領域としてのＲＡＭ（Random Access Memory）、補助記憶装置としてのＨＤＤ（Hard Disk Drive）等を含む記憶装置である。
【００２１】
スキャナー制御部１５は、ＣＰＵ（Central Processing Unit）等のコンピューターとしての演算処理装置であり、プログラムを実行してスキャナー３の各部を制御する。実施例１のスキャナー制御部１５は、スキャナー記憶部１３内のプログラムを実行することにより、スキャン実行指示部１７、スキャン画像データ生成部１９、スキャン画像データ送信部２１として機能する。
【００２２】
スキャン実行指示部１７は、スキャン実行指示機能を実現し、携帯端末５からの原稿画像の読み取り指示（以下、「スキャン指示」と称する）を受信して、スキャナー本体部７に原稿画像の読み取りを実行させる。
【００２３】
スキャン画像データ生成部１９は、スキャン画像データ生成機能を実現し、スキャナー本体部７での原稿画像の読み取りによる電気信号に基づいて、原稿画像に対応するスキャン画像データをスキャン指示に応じて生成する。
【００２４】
実施例１のスキャン画像データ生成部１９は、原稿画像が１枚の用紙（１ページ）である場合、１ページの単一のスキャン画像データを生成し、原稿画像が複数枚の用紙（複数ページ）である場合、複数ページにわたる単一のスキャン画像データを生成する。
【００２５】
スキャン画像データ送信部２１は、スキャン画像データ送信機能を実現し、生成されたスキャン画像データをスキャン指示の送信元の携帯端末５に対して送信する。
【００２６】
携帯端末５は、いわゆるスマートフォン等の携帯電話機やタブレット端末等の携帯型情報処理端末であり、カメラ機能、ネットワーク機能、電子メールの送受信機能等を有する。なお、カメラ機能、ネットワーク機能、電子メールの送受信機能等は、周知の機能であるため、詳細な説明を省略する。
【００２７】
実施例１の携帯端末５は、スキャナー３に対する操作装置として機能させることが可能であり、操作パネル２３、ネットワークインターフェイス２５、近距離無線インターフェイス２７、端末記憶部２９、端末制御部３１等を備える（図１参照）。
【００２８】
操作パネル２３は、タッチパネル式の画面等を有し、携帯端末５の操作部及び表示部を一体にした装置である。操作パネル２３は、携帯端末５に対する操作入力の受け付けや操作状態の表示を行う。なお、携帯端末５の操作部及び表示部は、別々に設けることも可能である。また、実施例１では、操作パネル２３の他に、操作入力用のボタン３３を備えている。
【００２９】
ネットワークインターフェイス２５は、有線又は無線によってインターネット等のネットワークに携帯端末５を接続し、スキャナー３との間でデータ通信を可能とするモジュールである。
【００３０】
近距離無線インターフェイス２７は、近距離無線によって携帯端末５をスキャナー３に接続し、スキャナー３との間でデータ通信を可能とするモジュールである。
【００３１】
端末記憶部２９は、ＲＯＭ、ＲＡＭ、ＨＤＤ等を含む記憶装置であり、画像データを記憶している。画像データは、カメラ機能、ネットワーク機能を利用した共有、電子メール機能による受信等で取得したものである。
【００３２】
端末制御部３１は、ＣＰＵ等のコンピューターとしての演算処理装置である。実施例１の端末制御部３１は、端末記憶部２９内のプログラム（アプリケーション）を実行することにより、通信部３５、読取指示部３７、結合指定部３９、対象選択受付部４１、宛先指定受付部４３、スキャン画像データ取得部４５、結合画像データ生成部４７、データ送信部４９として機能する。
【００３３】
通信部３５は、通信機能を実現し、携帯端末５をスキャナー３にネットワークインターフェイス２５又は近距離無線インターフェイス２７によって接続し、スキャナー３とのデータ通信を可能な状態とする。
【００３４】
読取指示部３７は、読取指示機能を実現し、スキャナー３に対する原稿画像の読み取りを指示する。読取指示部３７は、スキャナー３に対するスキャン設定を操作パネル２３上で受け付け、受け付けたスキャン設定をスキャン指示としてスキャナー３に送信する。
【００３５】
スキャン設定は、画像解像度設定、カラー設定、データ形式の設定等を含み、ユーザーの望むスキャン画像データを得るためのものである。
【００３６】
結合指定部３９は、結合指定機能を実現し、スキャン設定時に後述する結合画像データの生成の指定を受け付け、結合指定部３９が端末記憶部２９内の生成フラグをオンにする。
【００３７】
対象選択受付部４１は、対象選択受付機能を実現し、スキャン設定時に端末記憶部２９内の画像データからスキャン画像データに対する結合対象となる対象画像データの選択を受け付ける。受け付けた対象画像データの選択情報は、端末記憶部２９内に記憶される。
【００３８】
対象画像データの選択の受け付けは、端末記憶部２９内の複数の画像データに基づく画像（以下、「挿入候補画像」と称する）を、対象選択受付部４１が操作パネル２３上に選択可能にサムネイル表示（一覧表示）することで行われる。
【００３９】
図２に、サムネイル表示の一例を示す。図２の例では、合計８つの挿入候補画像が左右４つずつ表示されている。なお、一度にサムネイル表示される挿入候補画像の数は、任意である。
【００４０】
宛先指定受付部４３は、宛先指定受付機能を実現し、スキャン設定時に結合画像データの宛先の設定を受け付ける。結合画像データの送信は、後述するように電子メールで行われるため、宛先指定受付部４３は、宛先となる電子メールアドレスの入力を受け付ける。受け付けた電子メールアドレスは、宛先情報として端末記憶部２９内に記憶される。
【００４１】
スキャン画像データ取得部４５は、画像データ取得機能を実現し、スキャナー３での読み取りによって生成されたスキャン画像データをスキャナー３から取得する。実施例１のスキャン画像データ取得部４５は、スキャン指示に応じてスキャナー３から送信されたスキャン画像データを受信により取得する。
【００４２】
結合画像データ生成部４７は、結合画像データ生成機能を実現し、スキャン画像データ取得部４５で取得したスキャン画像データを対象選択受付部４１で選択が受け付けられた対象画像データと結合して、複数ページの単一の結合画像データを生成する。これにより、結合画像データ生成部４７は、結合画像データをスキャン画像データに代えて取得する。
【００４３】
実施例１の結合画像データ生成部４７では、スキャン画像データを取得した際に端末記憶部２９内の生成フラグがオンであれば、端末記憶部２９内の選択情報を参照して、対応する対象画像データと取得したスキャン画像データとにより結合画像データを生成する。
【００４４】
図３は、生成された結合画像データの一例を示す概念図である。図３の例では、対象画像データの挿入画像をスキャン画像データに基づく画像（以下、「ドキュメント画像」と称することがある）の最終ページの次に挿入している。なお、挿入画像は、挿入候補画像から選択されたものを意味する。
【００４５】
なお、実施例１の挿入画像の挿入位置は、図３のようにデフォルト設定としてドキュメント画像の最終ページの次に設定されているが、スキャン設定時に設定させてもよい。また、挿入画像の挿入位置のデフォルト設定は、ドキュメント画像の最初のページの前等のように、上述のものとは異なる設定とすることも可能である。
【００４６】
データ送信部４９は、データ送信機能を実現し、結合画像データを指定された宛先に送信する。実施例１では、結合画像データの生成に応じ、端末記憶部２９内の宛先情報を取得し、結合画像データを含む電子メールを宛先情報に基づくアドレスに送信する。
【００４７】
［画像結合処理］
図４は、図１の画像結合システムによる画像結合処理の流れを示すフローチャートである。
【００４８】
画像結合処理は、ユーザーが携帯端末５の操作によってアプリケーションを起動させることによって開始される。なお、画像結合処理を開始する際には、原稿画像をスキャナー３にセットしておく。
【００４９】
まず、ステップＳ１では、「スキャナーとの接続」が携帯端末５側で実行される。すなわち、携帯端末５の通信部３５は、アプリケーションの起動に応じ、ネットワークインターフェイス２５又は近距離無線インターフェイス２７によって、携帯端末５をスキャナー３に接続する。なお、ステップＳ１〜Ｓ７までは、携帯端末５側で実行される。
【００５０】
次いで、ステップＳ２では、「スキャン設定の受付開始」が実行される。すなわち、読取指示部３７は、スキャン設定画面を操作パネル２３上に表示して、ユーザーの操作によるスキャン設定の受け付けを開始する。
【００５１】
ステップＳ３では、「結合画像データの生成が指定されたか？」の判断が実行される。すなわち、結合指定部３９は、スキャン設定画面でのユーザーの操作によって、結合画像データの生成の指定を受け付ける。
【００５２】
結合画像データの生成が指定された場合は、結合指定部３９が端末記憶部２９内の生成フラグをオンにして、ステップＳ４へ移行する（ＹＥＳ）。一方、結合画像データの生成が指定されない場合は、ステップＳ６へ移行する（ＮＯ）。
【００５３】
ステップＳ４では、「対象画像データの選択を受け付けたか？」の判断が実行される。すなわち、対象選択受付部４１は、スキャン設定画面でのユーザーの操作に応じ、端末記憶部２９内の画像データに基づく挿入候補画像を図２のようにサムネイル表示し、対象画像データの選択を受け付ける。対象画像データは、１又は複数の選択が可能である。なお、図２のサムネイル表示は、ステップＳ３での結合画像データの生成が指定されたことをトリガーに行ってもよい。
【００５４】
対象画像データの選択を受け付けた場合は、選択情報を端末記憶部２９内に記憶してステップＳ５へ移行する（ＹＥＳ）。一方、対象画像データの選択を受け付けない限りは、ステップＳ４の判断を繰り返す（ＮＯ）。なお、ステップＳ４を繰り返す際には、既にサムネイル表示が行われている場合、サムネイル表示を維持する。
【００５５】
ステップＳ５では、「宛先の指定を受け付けたか？」の判断が実行される。すなわち、宛先指定受付部４３は、スキャン設定画面でのユーザーの操作により、結合画像データの宛先となる電子メールアドレスの入力を受け付ける。
【００５６】
電子メールアドレスの入力を受け付けた場合は、受け付けた電子メールアドレスを宛先情報として端末記憶部２９内に記憶し、宛先の指定を受け付けたものとしてステップＳ６へ移行する。一方、電子メールアドレスの入力を受け付けない限りは、ステップＳ５の判断を繰り返す。
【００５７】
ステップＳ６では、「スキャンの実行指示を受け付けたか？」の判断が実行される。すなわち、読取指示部３７は、スキャン設定画面での操作により、スキャナー３に対するスキャンの実行指示入力を受け付けたか否かを判断する。
【００５８】
スキャンの実行指示を受け付けた場合は、スキャン設定が確定してステップＳ７へ移行し（ＹＥＳ）、実行指示を受け付けない限りは、ステップＳ３に戻って処理を繰り返す（ＮＯ）。
【００５９】
ステップＳ７では、「スキャン指示」を実行する。すなわち、読取指示部３７は、ステップＳ６での実行指示に応じ、確定したスキャン設定をスキャン指示としてスキャナー３に送信する。
【００６０】
スキャン指示の送信後は、ステップＳ８において「原稿画像の読取」がスキャナー３側で実行される。すなわち、スキャナー３のスキャン実行指示部１７は、携帯端末５から受信したスキャン指示に応じて、スキャナー本体部７にセットされている原稿画像の読み取りを実行させる。なお、ステップＳ８〜Ｓ１０までの処理は、スキャナー３側で実行される。
【００６１】
ステップＳ９では、「スキャン画像データの生成」が実行される。すなわち、スキャン画像データ生成部１９は、スキャナー本体部７での原稿画像の読み取り信号に基づいて、単一のスキャン画像データを生成する。スキャン画像データは、スキャン指示に応じた画像解像度、カラー、データ形式等のものとなる。
【００６２】
実施例１のスキャン画像データは、図３のように複数ページにわたるデータとなっている。ただし、スキャン画像データは、単一ページのデータであってもよい。
【００６３】
次いで、ステップＳ１０では、「スキャン画像データの送信」が実行される。すなわち、スキャン画像データ送信部２１は、ステップＳ９で生成されたスキャン画像データを携帯端末５に送信する。
【００６４】
これに応じ、携帯端末５側では、ステップＳ１１において「スキャン画像データの取得」が実行される。すなわち、携帯端末５のスキャン画像データ取得部４５は、ステップＳ１０でスキャナー３から送信されたスキャン画像データを受信により取得する。スキャン画像データを取得した際には、通信部３５がスキャナー３との接続を解除して、ステップＳ１２へ移行する。なお、ステップＳ１１以降は、携帯端末５で実行される。
【００６５】
ステップＳ１２では、「結合画像データの生成フラグがオンか？」の判断が実行される。すなわち、結合画像データ生成部４７は、端末記憶部２９内の生成フラグがオンであるか否かを判断する。
【００６６】
生成フラグがオンの場合は、ステップＳ１３へ移行し（ＹＥＳ）、生成フラグがオフの場合は、ステップＳ１４へ移行する（ＮＯ）。
【００６７】
ステップＳ１３では、「結合画像データの生成」が実行される。ここでは、まず、結合画像データ生成部４７が端末記憶部２９内の選択情報に基づいて、ステップＳ４で選択された対象画像データを取得する。
【００６８】
そして、結合画像データ生成部４７は、ステップＳ１１で取得したスキャン画像データを対象画像データと結合して、図３のような複数ページの単一の結合画像データを生成する。なお、複数の対象画像データが選択されている場合は、選択順序等に応じてスキャン画像データに結合する。
【００６９】
次いで、ステップＳ１４では、「画像データの送信」が実行される。すなわち、データ送信部４９は、端末記憶部２９から宛先情報を取得し、取得した宛先情報に基づく電子メールアドレスを宛先とする電子メールを作成して送信する。電子メールには、ステップＳ１３で生成された結合画像データが添付される。こうして、電子メールによって指定された宛先に結合画像データが送信されることになる。
【００７０】
結合画像データを生成せずにステップＳ１２からステップＳ１４へ移行した場合は、スキャン画像データが指定された宛先に送信される。この場合、さらに対象画像データが選択されているときは、スキャン画像データと対象画像データとが別データとして指定された宛先に送信されることになる。
【００７１】
こうして、実施例１の画像結合処理は、画像データの送信が実行されることで終了する。
【００７２】
なお、上述の画像結合処理では、ステップＳ４での対象画像データの選択やステップＳ５での宛先の指定がスキャン設定時に実行されていたが、スキャン画像データをスキャナー３から取得した後に実行することも可能である。
【００７３】
例えば、ステップＳ４の対象画像データの選択は、ステップＳ１２の後に生成フラグがオンであることに応じて実行させてもよい。また、ステップＳ５の宛先の指定は、ステップＳ１３の後に結合画像データの生成に応じて実行させてもよい。
【００７４】
［実施例１の効果］
以上説明したように、実施例１の携帯端末５は、画像データを記憶する端末記憶部２９と、原稿画像を読み取ってスキャン画像データを生成するスキャナー３とのデータ通信を可能とする通信部３５と、スキャナーに対する原稿画像の読み取りを指示する読取指示部３７と、端末記憶部２９内の画像データから対象画像データの選択を受け付ける対象選択受付部４１と、スキャナー３での原稿画像の読み取りによって生成されたスキャン画像データをスキャナー３から取得するスキャン画像データ取得部４５と、スキャン画像データを対象画像データと結合して複数ページの単一の結合画像データを生成し、結合画像データをスキャン画像データに代えて取得する結合画像データ生成部４７とを備える。
【００７５】
従って、実施例１では、携帯端末５に記憶している対象画像データとスキャナー３によるスキャン画像データとを、複数ページの単一の結合画像データとして結合することにより、結合画像データをスキャン画像データに代えて取得することができる。
【００７６】
このため、対象画像データとスキャン画像データとを、結合画像データの生成時からその後の利用に至るまで、単一のデータとして取り扱うことが可能となり、携帯端末５での利用時の利便性を向上することができる。
【００７７】
特に、実施例１の携帯端末５は、データ送信部４９によって結合画像データを指定された宛先に送信する際に、単一の結合画像データによって取り扱い性や利便性を向上できる。
【００７８】
送信された結合画像データは、宛先である他の端末において、単一のデータとして閲覧等をすることができ、他の端末での利用時の利便性をも向上することができる。
【００７９】
また、実施例１の携帯端末５は、スキャナー３に対する操作装置として機能し、原稿画像の読み取りを指示するためのスキャン設定（スキャン指示）の一環として対象画像データの選択を受け付けることができる。このため、スキャン指示が完了した後は、結合画像データの生成を自動的に実行させることができる。
【００８０】
さらに、実施例１では、スキャン指示の一環として宛先の指定も行うので、結合画像データを指定された宛先に送信するまでを自動的に実行することができる。
【実施例２】
【００８１】
［画像結合システム］
図５は、本発明の実施例２に係る携帯端末を利用した画像結合システムを示すブロック図である。なお、実施例２の画像結合システムは、実施例１のものと基本構成が共通するため、重複した説明を省略する。
【００８２】
実施例２の画像結合システム１は、対象画像データに基づく挿入画像の挿入位置を指定することにより、スキャン画像データに基づくドキュメント画像の特定ページの前又は後に挿入画像を挿入可能としたものである。このため、携帯端末５の端末制御部３１は、位置指定受付部５１及び挿入管理部５３としても機能する。
【００８３】
位置指定受付部５１は、位置指定受付機能を実現し、スキャン画像データのドキュメント画像に対し、選択された対象画像データの挿入画像の挿入位置の指定を受け付ける。受け付けた挿入位置情報は、端末記憶部２９に記憶される。なお、挿入画像の挿入は、便宜上、対象画像データの挿入と称することがある。
【００８４】
実施例２の位置指定受付部５１は、対象画像データの選択に応じ、スキャン画像データのドキュメント画像に対する挿入位置としてページ番号の入力を受け付ける。
【００８５】
ページ番号の入力は、テキスト入力やドロップダウンリストからの選択等によって実現できる。図６は、挿入位置一覧としてのドロップダウンリストの一例である。
【００８６】
図６の例では、ページ番号の入力ボックス５５に隣接してドロップダウンボタン５７を表示し、ドロップダウンボタン５７が選択された場合にドロップダウンリスト５９を表示する。ドロップダウンリスト５９は、「ＴＯＰ」及び「Ｃａｎｃｅｌ」の文字並びに「１」〜「７」までの数字が選択可能となっている。なお、「ＴＯＰ」の文字は、ドキュメント画像の表紙の位置を挿入画像の挿入位置とすることを示す。「１」〜「７」までの数字は、スキャン画像データが全７ページの場合に、数字に対応するページの後を挿入画像の挿入位置とすることを示す。「Ｃａｎｃｅｌ」の文字は、対象画像の挿入を行わないことを示す。
【００８７】
挿入管理部５３は、挿入管理機能を実現し、対象画像データの挿入画像をスキャン画像データのドキュメント画像への挿入を管理するものである。
【００８８】
対象画像データは、複数選択することも可能であるため、選択されて挿入位置が指定された対象画像データは、次の対象画像データの選択及び挿入位置の指定の際に識別される必要がある。
【００８９】
このため、実施例２では、選択されて挿入位置を指定された対象画像データに対し、挿入管理部５３が選択画像識別情報（以下、「挿入指定画像ＩＤ」と称する）を付与する。例えば、挿入指定画像ＩＤは、「Ａ」から始まるアルファベットであり、選択された順序に応じて対象画像データに付与される。
【００９０】
付与された挿入指定画像ＩＤは、挿入管理部５３が端末記憶部２９内に記憶する。記憶された挿入指定画像ＩＤは、次の対象画像データの挿入位置を指定する際に、サムネイル表示上に示されると共にドロップダウンリスト５９に追加される。
【００９１】
図７は、挿入指定画像ＩＤが示されたサムネイル表示の一例を示す。図７の例では、一つの対象画像データが選択されて挿入位置が指定されている場合であり、対応するサムネイル表示上の挿入画像に挿入指定画像ＩＤとして「Ａ」が表示されている。
【００９２】
図８は、挿入指定画像ＩＤが追加されたドロップダウンリストの一例を示す。図８の例では、挿入画像の挿入位置がドキュメント画像の最終ページの次となっており、最終ページのページ番号である「７」の次に挿入画像の挿入指定画像ＩＤである「Ａ」が追加されている。
【００９３】
［挿入位置指定処理］
図９は、挿入位置指定処理の流れを示すフローチャートである。
【００９４】
挿入位置指定処理は、スキャン設定時又はスキャン画像データの取得後に実行することができる。スキャン設定時の場合は、挿入位置指定処理を実施例１の図４のステップＳ４に代えて実行すればよい。また、スキャン画像データの取得後の場合は、図４のステップＳ１２の後に実行すればよい。
【００９５】
挿入位置指定処理の開始は、スキャン設定時の場合にスキャン設定画面でのユーザーの操作をトリガーとし、スキャン画像データの取得後の場合にスキャン画像データの生成フラグのオンの確認をトリガーとすればよい。
【００９６】
ステップＳ２１では、「対象画像データの選択を受け付けたか？」の判断が図４のステップＳ４と同様にして実行される。対象画像データの選択を受け付けた場合は、ステップＳ２２へ移行し（ＹＥＳ）、対象画像データの選択を受け付けない限りは、ステップＳ２１の処理を繰り返す（ＮＯ）。
【００９７】
次いで、ステップＳ２２では、「対象画像データの挿入位置の指定を受け付けたか？」の判断が実行される。すなわち、位置指定受付部５１は、図６の入力ボックス５５及びドロップダウンボタン５７を表示し、ドロップダウンリスト５９からスキャン画像データ中のページ番号の入力を受け付ける。
【００９８】
なお、スキャン設定時に挿入指定処理を実行する場合は、スキャン設定において原稿画像のページ数を入力させ、入力されたページ数に基づくドロップダウンリスト５９からページ番号の入力を受け付ければよい。また、スキャン画像データの取得後に挿入指定処理を実行する場合は、スキャン画像データのページ数に基づくドロップダウンリスト５９からページ番号の入力を受け付ければよい。
【００９９】
挿入位置が指定された場合は、位置指定受付部５１が挿入位置情報を端末記憶部２９内に記憶し、ステップＳ２３へ移行する（ＹＥＳ）。一方、挿入位置が指定されない場合は、ステップＳ２２の処理を繰り返す（ＮＯ）。
【０１００】
ステップＳ２３では、「対象画像データに挿入指定画像ＩＤを付与」が実行される。すなわち、携帯端末５の挿入管理部５３は、ステップＳ２２において挿入位置が指定された対象画像データに挿入指定画像ＩＤを付与して、付与した挿入指定画像ＩＤを端末記憶部２９内に記憶する。
【０１０１】
ステップＳ２４では、「対象画像データの選択及び挿入位置の指定が完了か？」の判断が実行される。すなわち、携帯端末５の挿入管理部５３は、一連の対象画像データの選択及び挿入位置の指定が完了したか否かを判断する。この判断は、操作パネル２３上に表示される完了ボタン等の選択がなされたか否か等によって判断すればよい。
【０１０２】
対象画像データの選択及び挿入位置の指定が完了している場合は、挿入位置指定処理が終了し（ＹＥＳ）、対象画像データの選択及び挿入位置の指定が完了していない場合は、ステップＳ２１へ戻る（ＮＯ）。
【０１０３】
なお、挿入位置指定処理の終了後には、スキャン設定時の場合に図４のステップＳ５へ移行し、スキャン画像データの取得後の場合にステップＳ１３へ移行する。スキャン設定時の場合には、ステップＳ２４の判断を省略することも可能である。
【０１０４】
そして、結合画像データを生成する際には、結合画像データ生成部４７が、端末記憶部２９内の挿入位置情報や挿入画像ＩＤ等を参照して、指定された挿入位置に挿入画像を挿入することになる。
【０１０５】
ステップＳ２４から戻ったステップＳ２１では、対象選択受付部４１が、図７のように既に挿入位置が指定されている対象画像データの挿入指定画像ＩＤをサムネイル表示上に示して、次の対象画像データの選択を受け付ける。
【０１０６】
次いで、ステップＳ２２では、位置指定受付部５１が、図８のようにステップＳ２２で挿入位置が指定されている対象画像データの挿入指定画像ＩＤをドロップダウンリスト５９に追加し、入力ボックス５５及びドロップダウンボタン５７を表示する。
【０１０７】
これにより、ユーザーは、既に挿入位置が指定されている対象画像データを認識しつつ、次の対象画像データの挿入位置を指定することができる。
【０１０８】
［実施例２の効果］
以上説明したように、実施例２の携帯端末５は、スキャン画像データのドキュメント画像に対し選択された対象画像データの挿入画像の挿入位置の指定を受け付ける位置指定受付部５１を備えるので、より確実にユーザーの望む結果の結合画像データを得ることができる。
【０１０９】
実施例２の位置指定受付部５１は、挿入位置一覧であるドロップダウンリスト５９からページ番号を選択することにより挿入画像の挿入位置を受け付け、既に挿入位置が指定された対象画像データの挿入指定画像ＩＤをドロップダウンリスト５９に追加する。
【０１１０】
従って、実施例２では、複数の対象画像データを選択してそれぞれの挿入画像の挿入位置を指定する場合に、既に挿入位置が指定された対象画像データを認識しながら、次の対象画像データの挿入画像の挿入位置を適切に指定することが可能となる。
【０１１１】
また、実施例２の対象選択受付部４１は、端末記憶部２９内の画像データに基づく画像一覧であるサムネイル表示上に、既に挿入位置が指定されている対象画像データの挿入指定画像ＩＤを表示する。
【０１１２】
従って、実施例２では、既に挿入位置が指定された対象画像データを認識しつつ、次の対象画像データの選択を行わせることができる。
【０１１３】
その他、実施例２においても、上述の実施例１と同様の作用効果を奏することができる。
【実施例３】
【０１１４】
［画像結合システム］
図１０は、本発明の実施例３に係る携帯端末を利用した画像結合システムを示すブロック図である。なお、実施例３の画像結合システムは、実施例２のものと基本構成が共通するため、重複した説明を省略する。
【０１１５】
実施例３の画像結合システム１は、原稿画像の複数ページを１ページのデータとして集約したスキャン画像データに対し、対象画像データを結合するものである。すなわち、実施例３では、携帯端末５においてスキャン画像データのレイアウトを解析し、解析したレイアウトに基づいて対象画像データの挿入画像をスキャン画像データのドキュメント画像の特定ページの前又は後に挿入する。
【０１１６】
このため、実施例３の携帯端末５の端末制御部３１は、レイアウト解析部６１、画像データ管理部６３としても機能する。
【０１１７】
レイアウト解析部６１は、レイアウト解析機能を実現し、スキャナー３から取得したスキャン画像データのレイアウトを解析する。解析されるレイアウトは、スキャン画像データ１ページでの原稿画像の集約数（２ｉｎ１、４ｉｎ１、９ｉｎ１、１６ｉｎ１）、スキャン画像データ１ページ上での原稿画像の進み順（Ｎ型、逆Ｎ型、Ｚ型、逆Ｚ型）、及びスキャン画像データ１ページ上での原稿画像の各ページの位置等である。
【０１１８】
また、レイアウト解析部６１は、解析したレイアウト情報を、原稿画像の各ページの原稿画像データと、各原稿画像データに付与された画像識別情報（以下、「画像ＩＤ」と称する）と共に端末記憶部２９に記憶する。なお、実施例３の画像ＩＤは、原稿画像の最初のページから順次付与された「００１」、「００２」・・・等の連続番号である。
【０１１９】
画像データ管理部６３は、画像データ管理機能を実現し、端末記憶部２９内に記憶されている画像データ相互を識別可能に管理する。実施例３の画像データ管理部６３は、画像データに対して挿入画像識別情報（以下、「挿入画像ＩＤ」と称する）を付与する。付与した挿入画像ＩＤは、端末記憶部２９内に記憶される。実施例３の挿入画像ＩＤは、「１００１」、「１００２」・・・等の連続番号である。
【０１２０】
実施例３では、これらレイアウト解析部６１及び画像データ管理部６３を通じて得られたスキャン画像データの情報と端末記憶部２９に記憶されている対象画像データの情報とに基づいて、スキャン画像データに対する対象画像データの結合を可能としている。
【０１２１】
実施例３の結合では、ドキュメント画像のサムネイル表示（挿入位置一覧）と挿入候補画像のサムネイル表示（画像一覧）とを切り替えて操作パネル２３上に表示することで、ドキュメント画像に対する挿入画像の挿入位置の指定を行わせる。このため、挿入管理部５３が、ドキュメント画像及び挿入候補画像のサムネイル表示を管理する。
【０１２２】
図１１は、スキャン画像データのドキュメント画像及び対象画像データの挿入候補画像のサムネイル表示の一例を並列に示す。
【０１２３】
挿入管理部５３は、図１１のように、対象選択受付部４１による挿入候補画像のサムネイル表示と、位置指定受付部５１によるドキュメント画像のサムネイル表示とを、タブ６５の選択によって切り替え可能にサムネイル表示させる。
【０１２４】
図１１においては、左側のサムネイル表示がドキュメント画像であり、右側のサムネイル表示が挿入候補画像である。ドキュメント画像のサムネイル表示においては、スキャン画像データの各ページに、レイアウト情報等に応じて原稿画像の複数ページ（２ページ）の画像が集約して表示されている。なお、スキャン画像データの各ページは、データページ、原稿画像のページは、原稿ページと称することがある。
【０１２５】
ドキュメント画像のサムネイル表示は、端末記憶部２９内のレイアウト情報と、原稿画像データと、画像ＩＤとに基づいて行うことができる。なお、画像ＩＤとしては、全６ページの原稿画像データに最初のページから順次「００１」〜［００６］までの連続番号が付与されている。
【０１２６】
一方、挿入候補画像のサムネイル表示は、端末記憶部２９内の挿入画像ＩＤと画像データとに基づいて行うことができる。挿入画像ＩＤとしては、全８つの画像データに対し、サムネイル表示の順序に応じて、順次「１００１」〜「１００８」までの連続番号が付与されている。
【０１２７】
挿入位置の指定の際には、対象選択受付部４１が挿入候補画像のサムネイル表示において挿入画像の選択を受け付け、位置指定受付部５１がドキュメント画像のサムネイル表示において挿入位置の指定を受け付ける。
【０１２８】
挿入位置の指定の受け付けにおいて、位置指定受付部５１は、ユーザーに対して、データページを選択した後にデーページ内の原稿ページを選択可能とする。また、データページが選択された状態では、位置指定受付部５１が選択されているデーページ内の原稿ページのみをユーザーに選択可能とする。
【０１２９】
挿入位置の指定に応じ、位置指定受付部５１は、ドキュメント画像のサムネイル表示に指定された挿入位置に挿入画像を追加して更新する。
【０１３０】
図１１の例では、ドキュメント画像のサムネイル表示において原稿ページの５ページが選択されたことで、次の６ページ目が挿入画像の挿入位置として指定され、挿入候補画像のサムネイル表示において左上の画像が選択された挿入画像となっている。
【０１３１】
これに応じ、更新後のドキュメント画像のサムネイル表示では、原稿画像５ページ目に選択された挿入画像が挿入される。図１２に、図１１の例に応じた、更新後のドキュメント画像のサムネイル表示を示す。
【０１３２】
ドキュメント画像のサムネイル表示の更新は、原稿画像のページ順に配列されたドキュメント画像の画像ＩＤに、選択された挿入画像の挿入画像ＩＤを挿入することで実現できる。
【０１３３】
図１１及び図１２の例では、選択された挿入画像の挿入画像ＩＤが先頭の「１００１」であり、これが連続するドキュメント画像の５番目の画像ＩＤの次に挿入されることになる。結果として、更新後のドキュメント画像の画像ＩＤの配列は、挿入画像ＩＤを含めて、「００１」、「００２」、「００３」、「００４」、「００５」、「１００１」、［００６］となる。
【０１３４】
そして、挿入画像ＩＤを含めた画像ＩＤと、レイアウト情報と、原稿画像データと、挿入画像の画像データとに基づき、位置指定受付部５１は、図１２のように更新されたドキュメント画像のサムネイル表示を行うことができる。
【０１３５】
［挿入位置指定処理］
図１３は、挿入位置指定処理の流れを示すフローチャートである。
【０１３６】
実施例３の挿入位置指定処理は、スキャン画像データの取得後において、図４のステップＳ１２の後に実行される。従って、挿入位置指定処理は、スキャン画像データの生成フラグのオンの確認をトリガーに開始される。
【０１３７】
ステップＳ３１では、「対象画像データの挿入位置の指定を受け付けたか？」の判断が実行される。すなわち、挿入管理部５３は、挿入画像及びドキュメント画像のサムネイル表示の双方において、上述のように画像が選択されているか否かを判断する。
【０１３８】
挿入位置の指定を受け付けている場合は、図１１の完了ボタンの選択をトリガーにしてステップＳ３２に移行し（ＹＥＳ）、挿入位置の指定を受け付けていない場合は、ステップＳ３１の判断を繰り返す（ＮＯ）。
【０１３９】
ステップＳ３２では、「ドキュメント画像のサムネイル表示の更新」が実行される。すなわち、位置指定受付部５１は、上述のように、選択された挿入画像をドキュメント画像のサムネイル表示に挿入し、図１２のような挿入画像を挿入された状態の更新されたドキュメント画像を表示する。
【０１４０】
次いで、ステップＳ３３では、「対象画像データの挿入位置の指定が完了か？」の判断が実行される。すなわち、挿入管理部５３は、図９のステップＳ２４と同様に、図１２の完了ボタンの選択の有無等によって、一連の対象画像データの選択及び挿入位置の指定が完了したか否かを判断する。なお、完了ボタンは、挿入位置が指定されていない場合、一連の対象画像データの選択及び挿入位置の指定が完了を入力するものとして機能させればよい。
【０１４１】
対象画像データの選択及び挿入位置の指定が完了している場合は、挿入位置指定処理が終了し（ＹＥＳ）、対象画像データの選択及び挿入位置の指定が完了していない場合は、ステップＳ３１に戻って処理を繰り返す（ＮＯ）。
【０１４２】
挿入位置指定処理の終了後には、図４のステップＳ１３へ移行し、ドキュメント画像のサムネイル表示の更新情報を元に結合画像データを生成する。
【０１４３】
［実施例３の効果］
以上説明したように、実施例３の携帯端末５は、各ページに原稿画像の複数ページを集約したスキャン画像データのレイアウトを解析するレイアウト解析部６１を備え、結合画像データ生成部４７が解析されたレイアウトに基づいて結合画像データを生成する。
【０１４４】
従って、実施例３では、スキャン画像データの各ページに複数ページの原稿画像が集約されている場合でも、結合画像データを生成することができる。
【０１４５】
また、実施例３では、ドキュメント画像に対する挿入画像の挿入位置を指定する際に、ドキュメント画像のサムネイル表示と挿入画像のサムネイル表示とを切り替えて操作パネル２３上に表示するので、ユーザーが指定操作を容易且つ円滑に行うことができる。
【０１４６】
また、実施例３では、位置指定受付部５１がスキャン画像データのページを指定した後に指定されたページ内に集約されている原稿画像のページの指定を受け付けるため、挿入画像の挿入位置の指定の誤操作を防止できる。
【０１４７】
その他、実施例３でも、実施例２と同様の作用効果を奏することができる。
【符号の説明】
【０１４８】
３  スキャナー
５  携帯端末
２９  端末記憶部
３５  通信部
３７  読取指示部
４１  対象選択受付部
４５  スキャン画像データ取得部
４７  結合画像データ生成部
４９  データ送信部
５１  位置指定受付部
６１  レイアウト解析部
【図１】
2016127311.tif 000003
【図３】
2016127311.tif 000004
【図４】
2016127311.tif 000005
【図５】
2016127311.tif 000006
【図９】
2016127311.tif 000007
【図１０】
2016127311.tif 000008
【図１３】
2016127311.tif 000009
【図２】
2016127311.tif 000010
【図６】
2016127311.tif 000011
【図７】
2016127311.tif 000012
【図８】
2016127311.tif 000013
【図１１】
2016127311.tif 000014
【図１２】
2016127311.tif 000015